(57)【要約】【課題】シャワーホースが引き回されてもシャワーホースを破損することなく、シャワーホースが長すぎて弛みがある場合は二重に掛けられ、さらに、浴室壁面の適所に付け替え可能な構成のシャワーホースフックを実現する。【解決手段】浴室壁面に取り付ける取付基部３と、シャワーホース４を保持する保持部５とからなるシャワーホースフック１であって、保持部５はシャワーホース４を水平方向に保持可能な上支持部６と下支持部７からなり、上支持部６の前面は、下支持部７の前面より前方へ突出しており、取付基部３は浴室壁面に回転可能に取り付けられ、シャワーホース４の揺動に応じて自由に回転可能であり、取付基部３は取付孔１２を隠す側面部を備えている。【選択図】図１
2008223246.tif 000002
【特許請求の範囲】
【請求項１】
浴室壁面に取り付ける取付基部と、シャワーホースを保持する保持部とからなるシャワーホースフックであって、保持部はシャワーホースを水平方向に保持可能な上支持部と下支持部からなることを特徴とするシャワーホースフック。
【請求項２】
請求項１記載のシャワーホースフックであって、上支持部の前面は、下支持部の前面より前方へ突出していることを特徴とするシャワーホースフック。
【請求項３】
請求項ｌまたは２記載のシャワーホースフックであって、取付基部は浴室壁面に回転可能に取り付けられ、シャワーホースの揺動に応じて自由に回転可能であることを特徴とするシャワーホースフック。
【請求項４】
請求項１から３のいずれかに記載のシャワーホースフックであって、取付基部は取付孔を隠す側面部を備えていることを特徴とするシャワーホースフック。
【請求項５】
請求項ｌから４のいずれかに記載のシャワーホースフックであって、取付基部と保持部の正面視での幅は略同幅であるとともに、上支持部と下支持部の正面視での幅が略同幅であることを特徴とするシャワーホースフック。
【発明の詳細な説明】
【技術分野】
【０００１】
本発明は、浴室壁面に取り付けて使用するシャワーホースフックに関し、より詳細にシャワーホースフックを浴室壁面にダボにより回転可能に取り付けるとともに、シャワーホースを上下２段に保持可能なシャワーホースフックに関する。
【背景技術】
【０００２】
浴室壁面に取り付けるシャワーホースフックにおいて、保持部が回動可能に取り付けられたものが知られている（特許文献１参照）。また、浴室壁面に取り付けるシャワーホースフックにおいて、回転操作可能な操作部よりなる保持具本体を備え、この上部に別の保持部を備えたものが知られている（特許文献２参照）。
【０００３】
さらに、浴室壁面のシャワースライドバーに固定されるホースフックにおいて、ホースを着脱自在、揺動自在に係止したものが知られている（特許文献３参照）。また、浴室壁面に取り付けるシャワーホフックにおいて、シャワーヘッドを縦方向に保持する保持部と、横方向に保持する保持部を備えたものが知られている（特許文献４〜６参照）。
【０００４】
さらに、シャワーホース支持具において、シャワーホースを摺動しない状態で保持する固定部と、摺動自在に保持するスライド部とを形成したものが知られている（特許文献７参照）。
【特許文献１】特開平１１−１０７３４０号公報
【特許文献２】特開２００１−２２０７８３号公報
【特許文献３】特開２００５−０５４５３５号公報
【特許文献４】特開平１０−２１２７４５号公報
【特許文献５】特開２００２−１３８５４３号公報
【特許文献６】特開２００４−０３１７８号公報
【特許文献７】特開平１０−２１３２７０号公報
【発明の開示】
【発明が解決しようとする課題】
【０００５】
浴室やシャワールームにおけるシャワーホースはいろいろな状態に引き回して使用するので、シャワーホースフックに引っ掛けて拘束されると、シャワーホースに過大な力がかかり破損の原因となる。また、シャワーホースフックに引っ掛けても、シャワーホースが長すぎて弛みがあり使用勝手が悪い等の問題もある。また、シャワーホースは、その使用の仕方に応じて適宜箇所に引っ掛けられることが好ましい。
【０００６】
このようにシャワーホースフックに求められるいろいろな課題についての全てを、上記従来技術（特許文献１〜７）では、解決できない。本願発明は、シャワーホースが引き回されてもシャワーホースを破損することなく、シャワーホースが長すぎて弛みがある場合は二重に掛けられ、さらに、浴室壁面の適所に付け替え可能な構成のシャワーホースフックを実現するものである。
【課題を解決するための手段】
【０００７】
本発明は上記課題を解決するために、浴室壁面に取り付ける取付基部と、シャワーホースを水平方向に保持する保持部とからなるシャワーホースフックであって、保持部はシャワーホースを水平方向に保持可能な上支持部と下支持部からなることを特徴とするシャワーホースフックを提供する。
【０００８】
上記シャワーホースフックは、上支持部の前面は、下支持部の前面より前方へ突出していることが好ましい。
【０００９】
上記シャワーホースフックは、取付基部は浴室壁面に回転可能に取り付けられ、シャワーホースの揺動に応じて自由に回転可能であることが好ましい。
【００１０】
上記シャワーホースフックは、取付基部は取付孔を隠す側面部を備えていることが好ましい。
【００１１】
上記シャワーホースフックは、取付基部と保持部の正面視での幅は略同幅であるとともに、上支持部と下支持部の正面視での幅が略同幅であることが好ましい。
【発明の効果】
【００１２】
本発明に係るシャワーホースフックでは、保持部がシャワーホースを水平方向に保持可能な上支持部と下支持部からなるという簡単な構成で、シャワーホースの使用に際して長すぎて弛みがある場合でも、簡単に二重に掛けることができるから、シャワーホースが邪魔になるようなことがなく、使用勝手がよい。
【発明を実施するための最良の形態】
【００１３】
本発明に係るシャワーホースフックを実施するための最良の形態を実施例に基づき図面を参照して、以下説明する。
【実施例】
【００１４】
図１及び２は、本発明のシャワーホースフック１を説明する図である。図１（ａ）、（ｂ）において、このシャワーホースフック１は、取付用のダボ２によって、浴室壁面２１に回転可能に取り付けられる構成のものである。
【００１５】
シャワーホースフック１は、シャワーホースフック１を浴室壁面に取り付けるための取付基部３と、シャワーホース４（図２参照）を保持する保持部５とから一体に構成される。取付基部３と保持部５は、図１（ｃ）に示すように、正面から見て（正面視）同じ幅である。
【００１６】
保持部５は、図１（ｂ）に示すように、全体的に断面略Ｊ型であり、シャワーホース４を保持可能な上支持部６と下支持部７を備えている。下支持部７は、断面略Ｕ型であり、シャワーホース４を受け入れて保持可能な構成である。保持部５は、弾力部材で形成すると、下支持部７はシャワーホース４を弾力的に受け入れて保持し、また取り外しをすることが可能となる。また、図１（ｃ）に示すように、上支持部６と下支持部７は正面視で同じ幅であり、不必要な突出部等がなく、上支持部６、下支持部７以外の箇所に誤ってシャワーホースが引っ掛けられるおそれはない。
【００１７】
上支持部６の前面は、下支持部７の前面より前方に突出している構成である。具体的には、図１（ｂ）に示すように、上支持部６は、下支持部７の先端上部に連成（連続的に形成）されており、先端上部８より前方に屈曲してさらに湾曲的に突出し、上方に向けて拡開するように形成されている。
【００１８】
図１（ｂ）、図２（ｂ）に示すように、下支持部７で保持されたシャワーホース４の上に、折り返されたシャワーホース４をさらに重ねて載置し、上支持部６で前方から支持して保持することが可能となる。また、このように上支持部６の前面が下支持部７の前面より突出しており、上支持部６が上方に向けて拡開するように形成されているので、シャワーホース４を重ねずに１段で保持する場合も、シャワーホース４を受け入れる面積が大きくなり、引っ掛けることが容易である。
【００１９】
取付基部３は、図１（ａ）、（ｂ）に示すように、保持部５の上端に連成し後方に折り返されて水平に伸びる頂部９と、この頂部９から下方に伸びる背面部１０と、頂部９の両側から下方に伸びる両側部１１とから成る。
【００２０】
背面部１０には、図１（ａ）、（ｃ）、図３（ａ）に示すように、取付孔１２が形成されており、その下端には開口１９が形成されている。取付基部３は、このような構成であるから、保持部５、頂部９、背面部１０及び両側部１１によって囲まれ、下方に開放された内部空間１３が形成されている。両側部１１は、保持部５と背面部１０との間の内部空間１３を側方から見て隠すことができる。したがって、シャワーホースフック１の浴室壁面２１への取付部が隠され、見栄えが良くなるとともに、取付部の汚れが目立たないという効果も期待できる。
【００２１】
取付用のダボ２は、本実施例ではねじ１４からなる。このねじ１４は、浴室壁面２１にナット１４’を予め装着しておき、このナット１４’に螺着して取り付ける。ねじ１４は、取付孔１２の幅ｗ（図１（ｃ）、図３（ａ）参照）より小さな直径の杆部１５と、取付孔１２の幅ｗより大きな直径を有する頭部１６を有する。取付用のダボ２は、ねじ１４でなくても、例えば、図１（ｄ）にダボ２の変形例を示すが、頭部１６、杆部及び吸着盤１７からなり、吸着盤１７を浴室壁面２１に吸着して取り付ける構成のものでもよい。
【００２２】
（作用）
本発明にかかるシャワーホースフック１を使用に先立って、ダボ２としてねじ１４を浴室壁面に固定する。ダボ２は、浴室壁面の１箇所だけでなく、適宜、複数箇所に固定してもよい。シャワーホースフック１を浴室壁面にダボ２を介して固定する場合は、シャワーホースフック１を、その取付孔１２の下方の開口１９を杆部１５に位置決めしてから押し下げ、図１（ｂ）、図３（ａ）に示すように、取付孔１２内に杆部１５を嵌合させる。ダボ２の頭部１６は、取付基部３の内部空間１３に装入され、外から隠すことができる。
【００２３】
シャワーホースフック１は、ダボ２の杆部１５を枢軸として回転可能に取り付けられる。頭部１６の直径は取付孔１２の幅ｗより大きいために抜け止めされて外れることはない。なお、シャワーホースフック１をダボ２から取り外す場合は、シャワーホースフック１を、図１（ｂ）、図３（ａ）の状態から上方にスライドすれば、取付孔１２の開口１９から杆部１５が抜けて、簡単に取り外すことができる。
【００２４】
通常の使用時には、浴室壁面に固定したシャワーホースフック１の下支持部７内に、図２（ａ）に示すように、シャワーホース４を嵌めて引っ掛けることができる。このように引っ掛けた状態で、シャワーホース４を引き回して使用しても、また、使用に際してシャワーホースが揺動しても、シャワーホースにかかる力や揺動に応じて、シャワーホースフック１が図２（ｃ）、図３（ｂ）に示すように傾斜したり、自由に回転する。そのため、ホースの使用勝手が良くなるとともに、ホースの折れなどを緩和し、破損などを防止することができる。
【００２５】
また、シャワーの使用に際してシャワーホース４を無理に引き回し、シャワーホースフック１に過大な力がかかると、ダボ２が取付孔１２から外れ、シャワーホースフック１が外れるので、破損などを防止することができる。
【００２６】
前記したとおり、ダボ２を浴室壁面の１箇所だけでなく、適宜複数箇所に固定しておけば、複数のダボ２から選択して適宜位置のものにシャワーホースフック１を簡単に掛け替えて移設することができる。
【００２７】
そして、シャワーホースフック１には、上方に拡開された上支持部６が設けられているから、シャワーホース４を下支持部７内に容易に誘導できる。また、シャワーホース４を下支持部７に掛けて使用していても、まだ長すぎ弛みがある場合は、図１（ｂ）、図２（ｂ）に示すように、下支持部７に掛けたシャワーホース４の上にさらに２重にシャワーホース４を掛けることが可能となる。
【００２８】
なお、このシャワーホースフック１はダボ２を中心に回転可能であり、取付孔１２の開口１９が上方に向いた反転姿勢の状態においてシャワーホースフック１に下方に力をかけると、ダボ２の杆部１５が開口１９から抜けてシャワーホースフック１が外れることもなくはない。しかし、使用に際しては、シャワーホース４をシャワーホースフック１に掛けている時には、シャワーホース４の重量は、図３（ａ）、（ｂ）に示すように、取付孔１２の内縁部１８で受け止められ、シャワーホースフック１はダボ２から抜けにくい。
【００２９】
仮に、上記反転姿勢状態になった場合でも、シャワーホース４は自重で下支持部７から抜け落ち、基本的には、シャワーホース４の重量がシャワーホースフック１にかかるようなことは少ない。
【００３０】
なお、取付孔１２の開口１９を、図３（ｃ）、（ｄ）に本実施例の変形例を示すように、ダボ２の杆部１５の直径より若干小さな幅ｗ’となるように、開口１９の両側内縁に凸部２０を形成して、杆部１５を開口１９から取付孔１２に装入する場合には、開口１９を弾力的に押し広げるようにして装入する構成としてもよい。このような構成とすると、杆部１５は開口１９から抜けにくくなる。
【００３１】
以上、本発明に係るシャワーホースフックを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３２】
本発明に係るシャワーホースフックは、上記のような構成であり、浴室壁面に固定して使用するシャワーホースフックだけでなく、一般的に使用されるホースの掛け具としてホースを利用するいろいろな分野で適用可能である。
【図面の簡単な説明】
【００３３】
【図１】本発明の実施例のシャワーホースフックを説明する図であり、（ａ）は斜視図であり、（ｂ）は断面図であり、（ｃ）は正面図である。（ｄ）は取付用ダボの変形例を示す。
【図２】本発明の実施例のシャワーホースフックの作用を説明する図であり、ホースを支持する状態を示す斜視図である。
【図３】（ａ）、（ｂ）は、使用に際して、シャワーホースフックにかかるホースの重量を説明する図であり、図１（ｂ）のＡ−Ａ断面図であり、（ｃ）、（ｄ）はシャワーホースフックの上記実施例の変形例を示す図である。
【符号の説明】
【００３４】
１  シャワーホースフック                   
２  ダボ                                  
３  取付基部                              
４  シャワーホース                         
５  保持部                                
６  上支持部                              
７  下支持部                              
８  下支持部の先端上部                     
９  頂部                                  
１０  背面部                                 
１１  両側部                                 
１２  取付孔                                 
１３  シャワーホースフック基部の内部空間       
１４  ねじ
１４’  ナット                           
１５  ダボの杆部                             
１６  ダボの頭部                                   
１７  吸着盤                                 
１８  取付孔の内縁部
１９  開口
２０  開口の両側内縁の凸部
２１  浴室壁面                         
ｗ、ｗ’  取付孔の開口の幅                         
【図１】
2008223246.tif 000003
【図２】
2008223246.tif 000004
【図３】
2008223246.tif 000005